【事件の表示】
　平成　３年特許願第１６２５３０号「時計用音信号作成回路」拒絶査定に対する審判事件［平成　４年１２月１４日出願公開、特開平　４−３６１２９８］について、次のとおり審決する。
【結　論】
　本件審判の請求は、成り立たない。
【理　由】
１．手続きの経緯、本願発明
　本願は、平成３年６月７日の出願であって、その特許請求の範囲に係る発明は、平成１１年８月１９日付け、および平成１３年４月１８日付けの各手続補正書により補正された明細書および図面の記載からみて、特許請求の範囲の請求項１に記載された次のとおりのものと認めることができる。
「時間基準源と、分周段と、前記分周段からの信号群を入力とし、鳴り周波数を作成する鳴り周波数作成回路と、エンベロープ信号を発生するエンベロープ信号作成回路と、該エンベロープ信号に前記鳴り周波数を混ぜ鳴り信号を発生するミキシング回路と、前記鳴り信号を加算する加算回路とを有する時計用音信号作成回路において、前記エンベロープ信号作成回路は減衰率の小さいエンベロープ信号を発生する第１のエンベロープ発生回路と、減衰率の大きいエンベロープ信号を発生する第２のエンベロープ発生回路を有し、前記鳴り周波数作成回路は周波数の高い第１の鳴り周波数と周波数の低い第２の鳴り周波数を出力し、前記ミキシング回路は前記減衰率の小さいエンベロープ信号と前記周波数の高い鳴り周波数をミキシングし、前記減衰率の大きいエンベロープ信号と前記周波数の低い鳴り周波数をミキシングすることを特徴とする時計用音信号作成回路。」
　
２．引用例
　これに対して、原査定の拒絶理由に引用された特開昭５４−１４１６７４号公報（昭和５４年１１月５日公開、以下引用例という）には、名称を「時計用音色形成回路」とする発明について、次のとおりの記載がなされている。
（ａ）「従来、いわゆる目覚まし時計として所定の時刻にベルやブザーを鳴音させたり、ラジオ等の他の発音装置のスイッチを入れる方式があるが、所望の各種の鳴音を簡単な構成で発生できるものは見当たらない。（中略）本発明の目的はデジタル時計の安定なクロックパルスを利用して各種の音色の音響出力を得る時計用音色形成回路を提供することである。」（第１頁右下欄１〜１２行目）
（ｂ）「第２図は（中略）本発明の実施例の概略説明図である。
　同図において、主発振器１からＮ〔Ｈz〕のクロックパルスが出力され、そのパルスを受けて時計回路２で（中略）プリセットされた時刻にトリガパルスＴＰを発生し、このトリガパルスＴＰをエンベロープ発生回路３に与え、後述する複数の非対称矩形波形Ｆｋ(t)にそれぞれ対応するエンベロープ波形Ｅｋ(t)を発生させている。
　一方、主発振器１からのＮ〔Ｈz〕のクロックパルスは非対象矩形波発生回路４に入力され、（中略）所望の音色波形を複数の非対象矩形波Ｆｋ（t）で発生させている。そして、この各非対称矩形波Ｆｋ（ｔ）をゲート回路５に入力させて、それぞれに対応するエンベロープ回路３からのエンベロープ波形Ｅｋ（t）と乗算させ、それぞれの出力Ｆｋ（t）・Ｅｋ（t）をミキシング回路６でｋ＝１〜ｎまで合成し（中略）音響出力が得られる。」（第２頁右上欄６行目〜同頁左下欄７行目）
（ｃ）「第４図は第１図のエンベロープ発生回路の詳細説明図である。同図においてトランジスタ３１のベース回路に第３図のトリガパルスを加え、その出力回路としてエミッタに並列に構成されたそれぞれダイオード３２１〜３２ｎ，抵抗３３１〜３３ｎおよび容量３４１〜３４ｎより成る各時定数回路を充電することにより、容量３４１〜３４ｎの端子電圧として各非対称矩形波に対応するエンベロープ波形Ｅ1(t），Ｅ２（t）・・・・・Ｅｎ（t）が得られる。ここでは最も簡単なエンベロープ発生回路を示したが所望により各種の波形を実現することができる。」（第３頁左上欄１９行目〜同頁右上欄９行目）
（ｄ）「第５図は第２図の非対称矩形波発生回路４の詳細説明図である。同図に示すように、主発振器１より入力されるＮ〔Ｈz〕のクロックパルス入力端よりそれぞれ分周回路４１１〜４１ｎと波形変換回路４２１〜４２ｎより成るｎ個の並列回路より成る。分周回路４１１〜４１ｎはそれぞれＮ／ｎｋ（ｋ＝１〜ｎ）Ｈzに分周され波形変換回路４２１〜４２ｎに与えられる。（中略）このようにして各並列回路の出力として各種の非対称矩形波形Ｆ１（t），Ｆ２（t）・・・・・，Ｆｎ（t）が得られる。」（第３頁右上欄１０〜２０行目）
　
３．対比
［3.1］本願の請求項１に係る発明（以下本願発明という）と引用例に記載された発明（以下引用発明という）とを対比すると次のことが認められる。
（イ）引用発明が対象とする「時計用音色形成回路」は本願発明が対象とする「時計用音信号作成回路」に当たり、また、引用例の前掲記載（ｂ）〜（ｄ）でいう、「主発振器１」，「分周回路４１１〜４１ｎ」，「波形変換回路４２１〜４２ｎ」，「エンベロープ発生回路３」，「ゲート回路５」，「ミキシング回路６」は、それぞれ、本願発明でいう「時間基準源」，「分周段」，「鳴り周波数作成回路」，「エンベロープ信号作成回路」，「ミキシング回路」（例えば実施例のトランスミッションゲート６ａ，７ａ），「加算回路」に相当することが明らかであって、これらの点を踏まえると、本願発明と引用発明とは対象装置およびその構成において格別変わりがないものといえる。
（ロ）上記エンベロープ信号作成回路は、本願発明では「第１のエンベロープ発生回路」と「第２のエンベロープ発生回路」を有するものであるのに対し、引用発明では、引用例の前掲記載（ｃ）〔第４図〕から明らかなように、第１〜第ｎのエンベロープ発生回路を有するものであるが、両者のエンベロープ信号作成回路は、いずれも各々エンベロープ信号を発生する複数のエンベロープ信号発生回路を有するものである点では変わりがない。
　もっとも、本願発明の上記第１，第２のエンベロープ発生回路は、それぞれ「減衰率の小さいエンベロープ信号」，「減衰率の大きいエンベロープ信号」を発生するものであるところ、引用発明では、そのような点についての開示はない。
（ハ）上記鳴り周波数作成回路は、本願発明では「周波数の高い第１の鳴り周波数」と「周波数の低い第２の鳴り周波数」を出力するものであるのに対し、引用発明では、引用例の前掲記載（ｄ）〔第５図〕からみて、周波数の異なる（上記分周段での分周比が異なる）第１〜第ｎの鳴り周波数〔非対称矩形波形Ｆｋ（t）[ｋ＝１〜ｎ]の周波数〕を出力するものであるが、両者における鳴り周波数作成回路は、いずれも周波数の異なる複数の鳴り周波数を出力するものである点では変わりがない。
（ニ）本願発明での上記ミキシング回路（例えば実施例のトランスミッションゲート６ａ，７ａ）は、基本的に、上記第１，第２のエンベロープ発生回路が発生する各エンベロープ信号をそれぞれ対応する上記第１，第２の各鳴り周波数とミキシングする（例えば明細書の段落【0004】で説明するように、上記ゲート６ａ，７ａにより各エンベロープ信号を対応する鳴り周波数で断続させる）ものといえるところ、引用発明での上記ミキシング回路（ゲート回路５）も、引用例の前掲記載（ｂ）からみて、上記第１〜第ｎのエンベロープ発生回路の各出力〔エンベロープ波形Ｅｋ(t)[ｋ＝１〜ｎ]〕をそれぞれ対応する上記第１〜第ｎの各鳴り周波数〔各非対称矩形波形Ｆｋ（t）[ｋ＝１〜ｎ]の周波数）とミキシングしている（上記の各非対称矩形波形Ｆｋ（t）を上記ゲート回路５に入力させて上記エンベロープ波形Ｅｋ(t)と乗算させる、つまり、上記波形Ｅｋ(t)を波形Ｆｋ(t)の周波数で断続させて変調している）といえ、これら両者のミキシング回路は、いずれも上記の各エンベロープ信号をそれぞれ対応する各鳴り周波数とミキシングするものである点では変わりがないものとえいる。
　もっとも、本願発明では、上記ミキシングの際の各エンベロープ信号と各鳴り周波数との対応関係について、「減衰率の小さいエンベロープ信号と周波数の高い鳴り周波数」，「減衰率の大きいエンベロープ信号と周波数の低い鳴り周波数」としているところ、このような対応関係については引用発明では開示がない。
［3.2］以上の対比結果によれば、本願発明と引用発明との一致点、相違点は次のとおりであると認めることができる。
【一致点】
  両者は、いずれも「時間基準源と、分周段と、前記分周段からの信号群を入力とし、鳴り周波数を作成する鳴り周波数作成回路と、エンベロープ信号を発生するエンベロープ信号作成回路と、該エンベロープ信号に前記鳴り周波数を混ぜ鳴り信号を発生するミキシング回路と、前記鳴り信号を加算する加算回路とを有する時計用音信号作成回路において、前記エンベロープ信号作成回路は各々エンベロープ信号を発生する複数のエンベロープ発生回路を有し、前記鳴り周波数作成回路は周波数の異なる複数の鳴り周波数を出力し、前記ミキシング回路は前記の各エンベロープ信号をそれぞれ対応する前記の各鳴り周波数とミキシングする時計用音信号作成回路」であるといえる点。
【相違点】
（１）上記複数のエンベロープ発生回路が、本願発明では第１，第２のエンベロープ発生回路であるのに対し、引用発明では第１〜第ｎのエンベロープ発生回路であり、また、上記複数の鳴り周波数が、本願発明では第１，第２の鳴り周波数であるのに対し、引用発明では第１〜第ｎの鳴り周波数である点。
（２）本願発明では、上記第１，第２のエンベロープ発生回路が発生するエンベロープ信号を「減衰率の小さいエンベロープ信号」と「減衰率の大きいエンベロープ信号」とし、上記第１，第２の鳴り周波数を、それぞれ「周波数の高い」ものと「周波数の低い」ものとし、かつ上記ミキシング回路でミキシングする際の各エンベロープ信号と各鳴り周波数との対応関係について「減衰率の小さいエンベロープ信号と周波数の高い鳴り周波数」，「減衰率の大きいエンベロープ信号と周波数の低い鳴り周波数」としているところ、これらの点については引用発明では開示がない点。
　
４．判断
［4.1］そこで以下、上記相違点（１），（２）について判断する。
［4.1.1］相違点（１）について
  上記エンベロープ信号の数および対応する鳴り周波数の数を幾つにするかは、作成すべき音信号の所要特性に応じた設計事項というべもので、これらの数について、引用発明ではそれぞれ第１〜第ｎのｎ個としているが、特に２個の場合を排除しているわけではなく、必要に応じて本願発明のようにそれぞれの数を第１，第２の２個となし得ることは当業者に明らかなことであるから、上記相違点（１）において本願発明が格別のものであるとすることはできない。
［4.1.2］相違点（２）について
  相違点（２）に係る上記本願発明の構成は、明細書での説明に照らすと、時計用音信号作成回路（時計用鳴音の電子的生成回路）において、その生成音としてメカ的打音（鐘等の金属片を叩いた場合に発生するような打音）を生成し得るようにしたものであることが認められる。
　然るに、上記メカ的打音自体は時計用鳴音の１つとして常套のものであるから、引用発明のような時計用音信号作成回路において、その生成音を上記常套のメカ的打音とすること自体は設計上適宜選択し得た程度のことというべきである。
  また、生成音を所望のものとする上で、前記複数の鳴り周波数（生成音の周波数成分）それぞれの周波数調整や各鳴り周波数のエンベロープ波形の調整がなされるべきことは、上記鳴り周波数とエンベロープ波形に基づいて音を生成する引用発明のような音生成手法自体から明らかなことであり、引用例でも、前記エンベロープ発生回路について、所望により各種のエンベロープ波形を実現できるものとする旨の開示がなされており〔前掲記載（ｃ）〕、また、上記エンベロープ波形の調整例として、原査定で引用する実願昭５３−３６１４１号（実開昭５４−１３９８３１号）のマイクロフィルムには、梵鐘音を生成する際、その音響特性を考慮し、これに適合するように各音源信号（鳴り周波数）毎にそのエンベロープ波形の減衰率を調整設定するようにした例（特に第２図、第３図とその説明参照）も示されているところである。
  以上の点を考慮すると、本願発明の前記相違点（２）に係る、各エンベロープ信号の減衰率の大小，各鳴り周波数の高低，各エンベロープ信号と各鳴り周波数との対応関係についての構成は、引用発明においてその生成音を上記常套のメカ的打音とする上で、その音響的特性を考慮し、これに適合するよう当業者が設計上適宜採用し得た程度のものにすぎないと認められる。
［4.2］以上判断したとおり、本願発明における上記相違点(１)，(２)に係る構成は、いずれも当業者が容易に想到し得たといえるものであり、また本願発明の効果についてみても、上記構成の採用に伴って当然に予測される程度のものにすぎず、格別顕著なものがあるとは認められない。
　
５．むすび
　以上のとおりであるから、本願発明は、引用例に記載された発明に基づいて当業者が容易に発明をすることができたものであり、特許法第２９条第２項の規定により特許を受けることができない。
　よって、結論のとおり審決する。